(57)【要約】      （修正有）【課題】ボールを拾い上げる場合に簡単にボールを拾い上げることができると共に雨水等の貯まったカップからボールを拾い上げる場合もクラブ等が濡れないボール拾い上げ具を提供する。【解決手段】ボール拾い上げ具１０はボール拾い上げ具本体１２と、ボール拾い上げ具本体１２をプレイヤーに保持する保持体１４と、ボール拾い上げ具本体１２と保持体１４を接近、離間できる間隔調節体１５と、から構成されている。ボール拾い上げ具本体１２はボール捕捉部１６とシャフト１８を有している。シャフト１８のグリップ部３０には間隔調節体取付リング３２を介して間隔調節体１５が取り付けられている。間隔調節体１５の一側面には保持体１４が固定されている。【選択図】図１
0003134232.tif 000002
【実用新案登録請求の範囲】
【請求項１】
ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に連結されたシャフトと、このシャフトの基端部に取り付けられた前記間隔調節体と、この間隔調節体に固定された前記保持体と、を有してなることを特徴とするボール拾い上げ具。
【請求項２】
ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に先端部が連結された伸縮可能なシャフトと、このシャフトの基端部に取り付けられた前記間隔調節体と、この間隔調節体に固定された前記保持体と、を有してなることを特徴とするボール拾い上げ具。
【請求項３】
ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に先端部が連結された伸縮可能なシャフトと、このシャフトの基端部に固定されたグリップ部と、このグリップ部に取り付けられた前記間隔調節体と、前記間隔調節体に取り付けられた前記保持体と、を有してなることを特徴とするボール拾い上げ具。
【請求項４】
ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に先端部が連結された伸縮可能なシャフトと、このシャフトの基端部に固定されたグリップ部と、このグリップ部に取り付けられると共にリール体で形成された前記間隔調節体と、この間隔調節体を構成して間隔調節体の巻取軸に巻き取られたり巻き出されたりすると共に先端部が前記グリップ部に連結された間隔調節糸と、前記間隔調節体に固定されたクリップで形成された前記保持体と、を有してなることを特徴とするボール拾い上げ具。
【考案の詳細な説明】
【技術分野】
【０００１】
本考案は、主にパークゴルフやグランドゴルフ等でプレーした場合にカップインしたボールを簡単に拾い上げることができるボール拾い上げ具に関する。
【背景技術】
【０００２】
パークゴルフ等でプレーしてクラブで打ったボールがカップインするとカップに入ったボールを拾い上げるには膝や腰を大きく曲げる必要がある。
しかし、年配者や足腰の弱い人にとっては膝や腰を大きく曲げてカップインしたボールを手で拾い上げる動作は膝や腰に負担がかかり辛い動作となる。
また、雨の上がった後等にパークゴルフ等をプレーする場合はカップに雨水が貯まっており手袋をしている手でカップインしたボールを拾い上げようとすると手袋が濡れてしまうという不具合がある。
そこで、カップインしたボールを簡単に拾い上げることができるようにパークゴルフ等のクラブのヘッドに着脱可能に取り付けてカップインしたボールを挟んで拾い上げることができるパークゴルフのボール捕捉具が提案されている（特許文献１）。
しかし、このパークゴルフのボール捕捉具は、使用する場合は一々パークゴルフで使用するクラブのヘッドに取り付け、使用した後はクラブのヘッドから取り外してポケット等にしまわなければならず煩雑で面倒である。
また、このパークゴルフのボール捕捉具はクラブのヘッドに取り付けて使用するため雨水が貯まっているカップのボールを取るときはクラブのヘッドが濡れてしまうという不具合がある。
【特許文献１】実用新案登録第３０９８７３４号公報
【考案の開示】
【考案が解決しようとする課題】
【０００３】
本考案は、上記事実に鑑みなされたものでありボールを拾い上げる場合に膝や腰を大きく曲げないで簡単にボールを拾い上げることができると共にボールを拾い上げる時の作業が簡単で、さらに雨水等の貯まったカップからボールを拾い上げる場合もクラブ等が濡れたりすることのないボール拾い上げ具を提供するものである。
【課題を解決するための手段】
【０００４】
請求項１の考案は、ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に連結されたシャフトと、このシャフトの基端部に取り付けられた前記間隔調節体と、この間隔調節体に固定された前記保持体と、を有してなることを特徴としている。
請求項２の考案は、ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に先端部が連結された伸縮可能なシャフトと、このシャフトの基端部に取り付けられた前記間隔調節体と、この間隔調節体に固定された前記保持体と、を有してなることを特徴としている。
請求項３の考案は、ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に先端部が連結された伸縮可能なシャフトと、このシャフトの基端部に固定されたグリップ部と、このグリップ部に取り付けられた前記間隔調節体と、前記間隔調節体に取り付けられた前記保持体と、を有してなることを特徴としている。
請求項４の考案は、ボール拾い上げ具本体と、プレイヤーに取り付けられて前記ボール拾い上げ具本体を保持する保持体と、前記ボール拾い上げ具本体と前記保持体の間に設けられてボール拾い上げ具本体と保持体を接近させたり離間させたりすることができる間隔調節体と、を備えてなるボール拾い上げ具であって、前記ボール拾い上げ具本体を構成すると共にボールを捕捉できるボール捕捉部と、前記ボール拾い上げ具本体を構成すると共に前記ボール捕捉部に先端部が連結された伸縮可能なシャフトと、このシャフトの基端部に固定されたグリップ部と、このグリップ部に取り付けられると共にリール体で形成された前記間隔調節体と、この間隔調節体を構成して間隔調節体の巻取軸に巻き取られたり巻き出されたりすると共に先端部が前記グリップ部に連結された間隔調節糸と、前記間隔調節体に固定されたクリップで形成された前記保持体と、を有してなることを特徴としている。
【考案の効果】
【０００５】
本考案のボール拾い上げ具は、ボールを拾い上げる場合に膝や腰を大きく曲げる必要がないので年配者や足腰の悪い人でも簡単にボールを拾い上げることができるという優れた効果を有する。
また、本考案のボール拾い上げ具は、プレイヤーに取り付けた状態のボール拾い上げ具をそのまま使用してボールを拾い上げるのでボールを拾い上げる場合に煩雑で面倒な作業が不要であるという優れた効果を有する。
さらに、本考案のボール拾い上げ具は、ボールを拾い上げる場合はボール拾い上げ具本体でボールを拾い上げるのでカップに雨水等が貯まっていても手袋や手を濡らしたり、あるいはクラブを濡らすことがないという優れた効果を有する。
【考案を実施するための最良の形態】
【０００６】
考案を実施するために最良の形態の例として以下のような実施例を示す。
【実施例１】
【０００７】
図１〜図５には本考案のボール拾い上げ具１０の一実施例が示されている。なお、この実施例ではボール拾い上げ具１０をパークゴルフで使用する場合を例にして説明する。
図１及び図２に示されるように、このボール拾い上げ具１０はボール拾い上げ具本体１２と、ボール拾い上げ具本体１２をプレイヤーＰ（図４、図５参照）に保持する保持体１４と、ボール拾い上げ具本体１２と保持体１４の間に配設されてボール拾い上げ具本体１２と保持体１４を接近させたり離間させたりすることができる間隔調節体１５と、から構成されている。
前記ボール拾い上げ具本体１２は、ボール捕捉部１６とシャフト１８を有している。
このボール捕捉部１６はパークゴルフで使用されるボール１（図２参照）を挟持して捕捉するものである。前記ボール捕捉部１６は合成樹脂材等の弾性部材で形成された側面視略逆Ｕ字状の爪体２０を２本中央部で直交するように重ね合わせて形成されている。従って、２本の爪体２０の４つの端部２０Ａは隣の端部２０Ａと等間隔（実施例では９０°）になるように配設されている。また、対向する爪体２０の端部２０Ａと爪体２０の端部２０Ａの距離Ｗ（図１参照）はボール１の直径寸法より少し小さく形成されている。これにより、前記爪体２０が一旦ボールを挟持すればボール１が容易にボール捕捉部１６から落下しないようになっている（図２参照）。
前記２本の爪体２０の中央部２０Ｂには爪体固定ネジ（図示せず）が螺入され、この爪体固定ネジの先端部は爪体２０の中央部２０Ｂに配設されたシャフト連結体２４に螺入されている。
前記シャフト連結体２４には前記シャフト１８が連結されている。このシャフト１８は第１シャフト部２６と第２シャフト部２８から構成されている。この第１シャフト部２６の先端部は前記シャフト連結体２４に連結されている。また、第１シャフト部２６の基端部及び中間部は前記第２シャフト部２８にスライドして挿入可能になっている。
従って、前記第１シャフト部２６を引っ張れば前記シャフト１８は長くなり（図１の状態）、第１シャフト部２６を第２シャフト部２８に挿入すれば前記シャフト１８は短くなるようになっている（図２の状態）。
前記第２シャフト部２８の基端部にはグリップ部３０が固定されている。このグリップ部３０の端面には間隔調節体取付リング３２が取り付けられている。
この間隔調節体取付リング３２にはリール体で形成された前記間隔調節体１５が取り付けられている。
この間隔調節体１５の内部には巻取軸（図示せず）が回転可能に設けられている。この巻取軸には間隔調節体１５を構成する化学繊維で形成された細い間隔調節糸３６（図３参照）の基端部が結ばれている。
また、前記間隔調節体１５の内部にはバネ（図示せず）が設けられており、前記間隔調節糸３６を巻き取る方向に前記巻取軸を常時付勢している。従って、通常は間隔調節糸３６は基端部から巻取軸に巻き取られるようになっている。
図３に示されるように前記間隔調節糸３６の先端部３６Ａには連結リング３８が設けられている。この連結リング３８は前記間隔調節体取付リング３２と連結されている。
従って、通常時は前記間隔調節糸３６が間隔調節体１５の巻取軸によって巻取方向（図３矢印Ａ１方向）り巻き取られるようになっているため、ボール拾い上げ具１０のボール拾い上げ具本体１２と保持体１４は接近するようになっている（図１、図２、図５の状態）。
前記間隔調節体１５の一側面にはクリップで形成された前記保持体１４が固定されている。従って、この保持体１４をプレイヤーＰがしているベルト２（図５参照）に取り付ければ前記ボール拾い上げ具１０をプレイヤーＰの腰から吊り下げることができる。
【０００８】
実施例のボール拾い上げ具１０の作用をパークゴルフをプレーする場合を例にして説明する。
前記ボール拾い上げ具１０を装着する場合はクリップで形成された保持体１４をプレイヤーＰのベルト２に挟む。これにより、ボール拾い上げ具１０を腰から吊り下げた状態で装着することができる（図５参照）。
従って、前記ボール拾い上げ具１０は腰から吊り下げることができるので、ボール拾い上げ具１０を手で持ったりする必要がないのでパークゴルフのプレーの支障になるようなことはない。特に、カート等を使用しないでクラブケースを肩等に担いでプレーする場合の多いパークゴルフにおいては常に両手をフリーにできることは便利である。
パークゴルフのプレーにおいてクラブで打ったボール１がカップインしてボール１を拾い上げる時は、一方の手で吊り下げられているボール拾い上げ具本体１２のグリップ３０を握り、他方の手でボール拾い上げ具本体１２の第１シャフト部２６を引っ張ってシャフト１８を長く伸ばす。
そして、グリップ３０を握ってボール拾い上げ具本体１２をカップの中のボール１に近づけると間隔調節糸３６は引っ張られるためリール体で形成された間隔調節体１５の巻取軸に巻き取られている間隔調節糸３６は巻出方向（図３矢印Ａ２方向）に巻き出される。そして、ボール捕捉部１６の爪体２０の端部２０Ａがボール１に当たると徐々に前記爪体２０は拡開してボール１を挟持する。しかも、弾性体で形成された爪体２０は元に戻ろうとするのでボール１は確実に挟持されボール１が落下することはない。
前記ボール捕捉部１６に挟持されたボール１を取り出す場合はボール１を引っ張れば爪体２０の端部２０Ａは拡開するのでボール１を簡単にボール捕捉部１６から取り外すことができる。
従って、本考案のボール拾い上げ具１０を使用すればカップインしたボール１を膝や腰等を大きく曲げなくても簡単にカップから拾い上げることができる。
この結果、年配者や足腰の弱い人でもカップインしたボール１を拾い上げる時の足腰の苦痛から開放されてパークゴルフを大いに楽しむことができる。
また、カップの中に雨水が貯まっていてもカップインしたボール１を拾い上げる場合にカップに手を入れる必要がないので手袋や手が濡れることを防止することができる。
さらに、本考案のボール拾い上げ具１０はパークゴルフのクラブに取り付けて使用するものでないので、雨水が貯まっているカップのボール１を拾い上げる場合でもクラブが濡れてしまうようなことはない。
なお、前記ボール捕捉部１６からボール１を取り出したら前記第１シャフト部２６を第２シャフト部２８に挿入すればシャフト１８は短くなり、ボール拾い上げ具本体１２のグリップ部３０から手を離せば間隔調節糸３６は間隔調節体１５の巻取軸に巻き取られるのでボール拾い上げ具本体１２は保持体１４に接近するため、ボール拾い上げ具１０を吊り下げていても歩行等の邪魔になることはない（図５参照）。
【０００９】
なお、前記ボール拾い上げ具１０のボール捕捉部１６の爪体２０の形状は図６に示されるような形状でもよい。
【００１０】
なお、実施例ではボール拾い上げ具１０では２本の側面視略逆Ｕ字状の爪体２０Ｃを交差するように重ね合わせてボール捕捉部１６を形成した場合を示したが、爪体２０の数は２本に限定されるものでないことは勿論である。
また、実施例ではボール拾い上げ具１０では２本の側面視略逆Ｕ字状の爪体２０を交差するように重ね合わせてボール捕捉部１６を形成した場合を示したが、プレス加工や型等で一体形成してもよいことは勿論である
なお、実施例ではボール拾い上げ具１０のボール捕捉部１６としてボール１を挟持して捕捉するタイプのボール捕捉部１６を示したが、ボール捕捉部１６はボール１を捕捉できる構成であればボール１を挟持する構成に限定されるものでないことは勿論である。
また、実施例ではボール拾い上げ具１０をパークゴルフを行う場合を例にして説明したが、ボール拾い上げ具１０はパークゴルフ以外のグランドゴルフや通常のゴルフ等をプレーする場合に使用してもよいことは勿論である。
なお、実施例では前記間隔調節体１５をリール体で形成した場合を説明したが、間隔調節体はリール体で形成される場合に限定されるものでない。即ち、前記間隔調節体１５は、ボール拾い上げ具１０の使用時においてはボール拾い上げ具本体１２と保持体１４を離間させることができ、ボール拾い上げ具１０の非使用時においてはボール拾い上げ具本体１２と保持体１４を接近させることができるものであればよいため、例えば間隔調節体１５を伸縮可能なベルト状のゴムや長尺状のコイルバネ等で形成してもよいことは勿論である。
また、実施例では前記保持体１４をクリップで形成した場合を説明したが、保持体１４はベルト２等に取り付けることができるものであれば、クリップに限定されるものでないことは勿論である。
【図面の簡単な説明】
【００１１】
【図１】シャフトを伸ばした実施例のボール拾い上げ具の全体斜視図である。
【図２】シャフトを短くした実施例のボール拾い上げ具の全体斜視図である。
【図３】実施例のボール拾い上げ具の一部拡大斜視図である。
【図４】実施例のボール拾い上げ具の使用状態を示す全体図である。
【図５】実施例のボール拾い上げ具の使用状態を示す全体図である。
【図６】実施例のボール拾い上げ具のボール捕捉部の変形例を示す一部拡大斜視図である。
【符号の説明】
【００１２】
１０    ボール拾い上げ具
１２    ボール拾い上げ具本体
１４    保持体
１５    間隔調節体
１６    ボール捕捉部
１８    シャフト
２６    第１シャフト部
２８    第２シャフト部
３０    グリップ部
３６    間隔調節糸
【図１】
0003134232.tif 000003
【図２】
0003134232.tif 000004
【図３】
0003134232.tif 000005
【図４】
0003134232.tif 000006
【図５】
0003134232.tif 000007
【図６】
0003134232.tif 000008